(57)【要約】      （修正有）【課題】複数の塗料を収容できる塗装容器であって、作業の進捗具合や段取りの変更などに応じて、一部の塗料を外して、別の塗料に取り換えることが容易な塗装容器を提供する。【解決手段】手提げ缶の開口に嵌着する、塗料を収容する塗装容器１１において、一の塗料が収容されるカートリッジ１０を着脱自在に組み合わせることにより、所定数の塗料を取り換え自在に収容することを特徴とし、カートリッジは、開口周囲に合わせた曲面壁１と、一対の平面壁２ａとを有し、平面壁それぞれの一端が開口中央で接合されるとともに、それぞれの他端が曲面壁の端に結合されることにより、一の塗料が収容される扇形の開口４が形成されたものである。【選択図】図２
0003139757.tif 000002
【実用新案登録請求の範囲】
【請求項１】
手提げ缶の開口に嵌着する、塗料を収容する塗装容器において、
一の塗料が収容されるカートリッジを着脱自在に組み合わせることにより、所定数の塗料を取り換え自在に収容することを特徴とする塗装容器。
【請求項２】
前記カートリッジは、前記開口周囲に合わせた曲面壁と、一対の平面壁とを有し、該平面壁それぞれの一端が該開口中央で接合されるとともに、それぞれの他端が該曲面壁の端に結合されることにより、一の塗料が収容される扇形の開口が形成されたものであることを特徴とする請求項１記載の塗装容器。
【請求項３】
前記一対の平面壁それぞれは、前記曲面壁よりも高さが高いことを特徴とする請求項２記載の塗装容器。
【請求項４】
前記曲面壁は、上端に、前記開口周縁に掛止する鍔を有することを特徴とする請求項３記載の塗装容器。
【請求項５】
前記一対の平面壁のうちの一方の平面壁は、上端に、帯状の接合片を有し、
互いに隣接して組み合わされる第１のカートリッジと第２のカートリッジは、該第１のカートリッジの前記接合片が、該第２のカートリッジの前記一方の平面壁とは別の平面壁の上端に当接することにより、着脱自在に連結されることを特徴とする請求項３又は４記載の塗装容器。
【請求項６】
手提げ缶の開口に嵌着する、一の塗料を収容するカートリッジであって、
前記開口周囲に合わせた曲面壁と、一対の平面壁とを有し、該平面壁それぞれの一端が該開口中央で接合されるとともに、それぞれの他端が該曲面壁の端に結合されることにより、一の塗料が収容される扇形の開口が形成されたものであることを特徴とするカートリッジ。
【請求項７】
前記曲面壁は、上端に、前記開口周縁に掛止する鍔を有するものであって、前記一対の平面壁それぞれは、前記曲面壁よりも高さが高いことを特徴とする請求項６記載のカートリッジ。
【考案の詳細な説明】
【技術分野】
【０００１】
本考案は、手提げ缶に着脱自在に嵌着し、塗料を収容する塗装容器に関するものである。
【背景技術】
【０００２】
従来から、塗装作業用の手提げ缶に嵌着し、ペンキなどの塗料を入れる塗装容器は、主に一色だけ収容する単一槽容器が用いられている。
図４は、従来から用いている手提げ缶と、その手提げ缶に嵌着された塗装容器とを一例として示す図である。
図４に一例を示すように、円形の開口を有する筒状の手提げ缶１９の側面２か所に、止め金具１８があり、吊手１７がそれぞれの止め金具１８に固定されている。
その手提げ缶１９の開口には、その径よりやや小径で、端縁に鍔２１を有する円筒形カートリッジ２０が嵌着されている。塗装作業を行うときは、この円筒形カートリッジ２０に一の塗料を収容する。
しかしながら、塗装作業の仕上げの段階や現場の状況によっては、複数色の塗料が必要になる場合がある。このため、必要な色の塗料が入った複数の手提げ缶を持ち歩く必要があり、作業員の労力負担は多大である。一方、必要な色の塗料をその都度運ぶ方法では作業能率が低下する。また、高所足場作業において複数の手提げ缶を持ち歩くと、それに気を取られ勝ちとなるため、足場を踏み外して転倒する事故や、転落する事故、あるいは手提げ缶を落下させ、低所作業中の作業員が負傷する事故を誘発する。
そこで、  複数の塗料を収容する単一のカートリッジを手提げ缶に嵌着するようにしたもの（特許文献１参照）、円形胴体を所要角度で仕切った多数の側壁と、胴体内周に接する弧状壁と、側壁相互間を仕切る仕切り壁とを設けて、複数の塗料や刷毛が収容できるようにしたもの（特許文献２参照）などが提案されている。
【特許文献１】登録実用第３１１７１８９号公報
【特許文献２】実開昭５８−１５６５７０号公報
【考案の開示】
【考案が解決しようとする課題】
【０００３】
しかしながら、提案されている塗装容器は、複数の塗料を入れる容器が一体化されているため、一旦その塗装容器に複数の塗料を収容すると、収容された塗料の一部を別の塗料に取り換えることができないという難点がある。
本考案は、かかる事情に鑑み、複数の塗料を収容できる塗装容器であって、作業の進捗具合や段取りの変更などに応じて、一部の塗料を外して、別の塗料に取り換えることが容易な塗装容器を提供することを目的とする。
【課題を解決するための手段】
【０００４】
本考案の塗装容器は、手提げ缶の開口に嵌着する、塗料を収容する塗装容器において、一の塗料が収容されるカートリッジを着脱自在に組み合わせることにより、所定数の塗料を取り換え自在に収容することを特徴とする。
このように、一の塗料が収容されるカートリッジを着脱自在に組み合わせ、カートリッジの集合体として塗装容器を構成しているので、不要な塗料が入ったカートリッジを外し、必要な塗料が入ったカートリッジに取り換えることができる。
ここで、上記カートリッジは、上記開口周囲に合わせた曲面壁と、一対の平面壁とを有し、該平面壁それぞれの一端が該開口中央で接合されるとともに、それぞれの他端が該曲面壁の端に結合されることにより、一の塗料が収容される扇形の開口が形成されたものであることが好ましい。
このように塗装容器を構成するカートリッジの開口が扇形になっていれば、手提げ缶の開口に、所定数配置することができる。
また、上記一対の平面壁それぞれは、上記曲面壁よりも高さが高いことが好ましい。
このように構成すれば、塗料を入れるとき塗料が飛散して混入することを防止できる。
さらに、上記曲面壁は、上端に、上記手提げ缶の周縁に掛止する鍔を有することが好ましい。
このように、曲面壁に鍔を設ければ、手提げ缶にカートリッジを嵌着したとき、カートリッジが安定する。
ここで、上記一対の平面壁のうちの一方の平面壁は、上端に、帯状の接合片を有し、互いに隣接して組み合わされる第１のカートリッジと第２のカートリッジは、該第１のカートリッジの上記接合片が、該第２のカートリッジの上記一方の平面壁とは別の平面壁の上端に当接することにより、着脱自在に連結されることも好ましい態様である。
このように平面壁の一方に、接合片があれば、隣接するカートリッジ相互が当接して着脱自在に連結されるので、組み合わされたカートリッジ相互が安定する上、塗装の際に刷毛についた塗料をそぐのに役立つ。
【考案の効果】
【０００５】
本考案の塗装容器によれば、一の塗料を収容するカートリッジを所定数組み合わせて手提げ缶に嵌着し、所定数の塗料を収容できる塗装容器が構成されるので、作業の進捗具合や段取りの変更などに応じて、不要な塗料の入ったカートリッジを外して、必要な塗料の入ったカートリッジに取り換えることが容易である。
【考案を実施するための最良の形態】
【０００６】
以下に、本考案の塗装用容器及びカートリッジの実施形態について説明する。
図１は、本実施形態のカートリッジを示す図である。
図１に示す本実施形態のカートリッジ１０は、筒状手提げ缶に嵌着することにより、本実施形態の塗装容器が形成される。カートリッジ１０は、筒状手提げ缶の開口周囲に合わせた曲りを有する曲面壁１と、幅が手提げ缶の開口の半径よりもわずかに小さい、平らな一対の平面壁２とを有する。一対の平面壁２の一端５それぞれは、互いに接合され、一対の平面壁２の他端６それぞれは、曲面壁１の端に結合されている。そして、曲面壁１と一対の平面壁２とにより囲まれた空間の下部には扇形底面３が設けられ、上部には扇形開口４が設けられている。曲面壁１は、上端に、鍔１aが設けられ、その鍔１aで手提げ缶の開口周縁に掛止される。また、一対の平面壁２のうちの一方の平面壁２aは、上端に、帯状の接合片２cが設けられている。また、一対の平面壁２は、それぞれが同じ高さをもち、その高さは曲面壁１よりも高くなっている。
このように、一対の平面壁２の高さが、曲面壁１よりも高いので、カートリッジ１０に塗料を注入する際に、塗料が跳ねこぼれるのを止できる。また曲面壁には鍔１aが設けられているので、組み合されたカートリッジ１０を、手提げ缶に嵌着したとき、カートリッジが安定する。
ここで、本実施形態のカートリッジ１０は、プラスチックを圧縮成型、射出成型することなどにより形成してもよいし、金属板を溶接加工することにより形成してもよい。
図２及び図３は、本実施形態の塗装容器を示す図であり、図２は、斜視図、図３は、平面図である。
図２及び図３に示す本実施形態の塗装容器１１は、本実施形態のカートリッジ１０を３つ組み合わせた集合体として柱状に形成されている。図２及び図３において、塗装容器１１を構成する３つのカートリッジ１０それぞれは、曲面壁１と、一対の平面壁２と、扇形の底面３と、扇形の開口４とを有し、曲面壁１は、上端に、鍔１aが設けられ、一対の平面壁２のうちの一方の平面壁２aは、上端に、帯状の接合片２cが延設されている。３つのカートリッジ１０それぞれの接合片２ｃは、互いに隣接して組み合わされるカートリッジ１０の、帯状の接合片２cが延設されていない別の平面壁２ｂ上端に当接する。
その結果、３つのカートリッジは、相互に連結されて柱状をなし、嵌着される筒状の手提げ缶にしっかり固定される。また、一対の平面壁２は、曲面壁１よりも高さが高いので、各カートリッジに塗料を注入する際に、隣接するカートリッジ１０に塗料が飛び跳ねて塗料相互が混合するのを防止できる。さらに、隣接するカートリッジ１０相互を連結する接合片２cは、刷毛についた塗料をそぐのに役立つほか、飛び跳ねた塗料が手提げ缶内に飛散することや、隣接するカートリッジ１０に混入するのを防止できる。
ここで、本実施形態の塗装容器１１に入った複数の塗料のうち、不要になった塗料を別な塗料と交換するときは、塗装容器１１を手提げ缶から取り外し、不要になった塗料が収容されたカートリッジ１０を取り外し、その空きスペースに、必要が生じた塗料の入ったカートリッジ１０を装着し、一方の平面壁２aに延設された帯状の接合片２cを、隣接するカートリッジ１０の他方の平面壁２ｂ上端に当接させる。これにより、所定数のカートリッジ１０が組み合わされた集合体相互をしっかりと連結させ、柱状に固定された塗装容器１１を構成する。そして、柱状に固定されたその塗装容器１１を再び手提げ缶に嵌着する。
本実施形態の塗装容器１１は、３つのカートリッジ１０を組み合わせることにより構成されているが、塗装容器１１は必ずしも３つのカートリッジ１０で構成する必要はなく、２つでも４つ以上でもよい。また、カートリッジ１０は、必ずしも同形のものを用いる必要はなく、扇形開口４の角度が異なる、例えば略９０度のカートリッジ２つと、略１８０度のカートリッジ１つを組み合わせて塗装容器１１を構成してもよい。さらに、手提げ缶は、必ずしも円筒形である必要はなく、またカートリッジ１０の開口も必ずしも扇形に構成する必要はない。
【産業上の利用可能性】
【０００７】
扇形開口の角度が異なるカートリッジを各種用意すれば、高所作業用の物入れなどにも適用できる。
【図面の簡単な説明】
【０００８】
【図１】本実施形態のカートリッジを示す図である。
【図２】本実施形態の塗装容器を示す斜視図である。
【図３】本実施形態の塗装容器を示す平面図である。
【図４】従来から用いている手提げ缶と、その手提げ缶に嵌着された塗装容器とを一例として示す図である。
【符号の説明】
【０００９】
１    曲面壁
１a  鍔
２    一対の平面壁
２a  一方の平面壁
２b  他方の平面壁
２ｃ  接合片
３    扇形底面
４    扇形開口
５    平面壁の一端
６    平面壁の他端
１０  カートリッジ
１１  塗装容器
【図１】
0003139757.tif 000003
【図２】
0003139757.tif 000004
【図３】
0003139757.tif 000005
【図４】
0003139757.tif 000006